(57)【要約】【課題】周波数変更の案内を事前に、且つユーザが所持している自受信機に関係のある場合にのみユーザに自動的に通知できる地上デジタル放送受信機を提供する。【解決手段】地上デジタルチューナ１１、デスクランブル手段１２、多重化分離手段１３、ＡＶデコーダ１６、表示器１７、多重化分離手段１３からセクションデータを入力する制御部１４、地域識別を格納する地域識別記憶装置１５ａを備える。制御部１４は、セクションデータに含まれる周波数リスト・変更情報に、地域識別記憶装置１５ａに格納された既設定地域識別又は受信可能サービスの地域識別に一致する地域識別があるかを確認し、確認された場合、受信している送信所の送信所識別と一致する周波数変更スケジュールがあるかを確認し、確認された場合、放送波の周波数の変更を表示器１７に表示させる。【選択図】図１
2013201499.tif 000002
【特許請求の範囲】
【請求項１】
地上デジタルチューナ、該地上デジタルチューナに接続されたデスクランブル手段、該デスクランブル手段に接続された多重化分離手段、該多重化分離手段に接続されたＡＶデコーダ、該ＡＶデコーダに接続された表示器、前記多重化分離手段からセクションデータを入力する制御部、地域識別を格納する地域識別記憶装置を備え、前記制御部が、
前記セクションデータに含まれる全地域の周波数リスト・変更情報の地域識別の内に、前記地域識別記憶装置に格納された既設定地域識別に一致する地域識別があるかを確認する第１の地域識別確認手段と、
前記既設定地域識別に一致する地域識別がない場合、前記全地域の周波数リスト・変更情報の地域識別の内に、前記地域識別記憶装置に格納された受信可能サービスの地域識別に一致する地域識別があるかを確認する第２の地域識別確認手段と、
前記既設定地域識別又は前記受信可能サービスの地域識別に一致する地域識別がある場合、受信している送信所の送信所識別と一致する周波数変更スケジュールがあるかを確認する変更スケジュール確認手段と、
を備え、前記周波数変更スケジュールがあることが確認された場合、放送波の周波数の変更がある旨を前記表示器に表示させることを特徴とする地上デジタル放送受信機。
【請求項２】
送信所識別毎に送信周波数とネットワーク識別を整理した一覧データを格納する一覧データ記憶装置を更に備えることを特徴とする請求項１に記載の地上デジタル放送受信機。
【請求項３】
前記制御部が、
前記全地域の周波数リスト・変更情報の内から、前記地域識別記憶装置に格納された前記既設定地域識別、及び前記受信可能サービスの地域識別と一致する特定地域識別の周波数リスト・変更情報を取り出す周波数リスト・変更情報取得手段と、
前記特定地域識別の周波数リスト・変更情報を用いて、前記一覧データを作成し、前記一覧データを前記一覧データ記憶装置に格納する一覧データ作成手段と、
前記一覧データ記憶装置から前記一覧データを読み出し、受信可能サービスの送信周波数、ネットワーク識別及び送信所識別毎に、前記一覧データの送信周波数とネットワーク識別を比較し、一致する送信所識別を前記受信している送信所と決定する送信所決定手段と
を更に備えることを特徴とする請求項２に記載の地上デジタル放送受信機。
【請求項４】
地上デジタルチューナ、該地上デジタルチューナに接続されたデスクランブル手段、該デスクランブル手段に接続された多重化分離手段、該多重化分離手段に接続されたＡＶデコーダ、該ＡＶデコーダに接続された表示器、前記多重化分離手段からセクションデータを入力する制御部、地域識別を格納する地域識別記憶装置を備える地上デジタル放送受信機を用いた周波数変更スケジュールの通知方法であって、
前記制御部の第１の地域識別確認手段が、前記セクションデータに含まれる全地域の周波数リスト・変更情報の地域識別の内に、既に設定されている既設定地域識別に一致する地域識別があるかを確認するステップと、
前記既設定地域識別に一致する地域識別がない場合、前記制御部の第２の地域識別確認手段が、前記全地域の周波数リスト・変更情報の地域識別の内に、受信可能サービスの地域識別に一致する地域識別があるかを確認するステップと、
前記既設定地域識別に一致する地域識別がある場合、又は、前記受信可能サービスの地域識別に一致する地域識別がある場合、前記制御部の変更スケジュール確認手段が、受信している送信所の送信所識別と一致する周波数変更スケジュールがあるかを確認するステップと、
を含み、前記周波数変更スケジュールがあることが確認された場合、放送波の周波数の変更がある旨を、前記表示器に表示させることを特徴とする周波数変更スケジュールの通知方法。
【請求項５】
前記地上デジタル放送受信機が、送信所識別毎に送信周波数とネットワーク識別を整理した一覧データを格納する一覧データ記憶装置を更に備え、
前記制御部の周波数リスト・変更情報取得手段が、前記全地域の周波数リスト・変更情報の内から、前記既設定地域識別、及び前記受信可能サービスの地域識別に一致する特定地域識別の周波数リスト・変更情報を取り出すステップと、
前記制御部の一覧データ作成手段が、前記特定地域識別の周波数リスト・変更情報を用いて、送信所識別毎に送信周波数とネットワーク識別を整理した一覧データを作成し、該一覧データを一覧データ記憶装置に格納するステップと、
前記制御部の送信所決定手段が、前記一覧データ記憶装置から前記一覧データを読み出し、受信可能サービスの送信周波数、ネットワーク識別及び送信所識別毎に、前記一覧データの送信周波数とネットワーク識別を比較し、一致する送信所識別を前記受信している送信所と決定するステップと
によって、前記受信している送信所の送信所識別を決定することを特徴とする請求項４に記載の周波数変更スケジュールの通知方法。
【請求項６】
地上デジタルチューナ、該地上デジタルチューナに接続されたデスクランブル手段、該デスクランブル手段に接続された多重化分離手段、該多重化分離手段に接続されたＡＶデコーダ、該ＡＶデコーダに接続された表示器、前記多重化分離手段からセクションデータを入力する制御部、地域識別を格納する地域識別記憶装置を備える地上デジタル放送受信機を制御するための周波数変更スケジュール通知プログラムであって、
前記制御部の第１の地域識別確認手段に、前記セクションデータに含まれる全地域の周波数リスト・変更情報の地域識別の内に、既に設定されている既設定地域識別に一致する地域識別があるかを確認させる命令と、
前記既設定地域識別に一致する地域識別がない場合、前記制御部の第２の地域識別確認手段に、前記全地域の周波数リスト・変更情報の地域識別の内に、受信可能サービスの地域識別に一致する地域識別があるかを確認させる命令と、
前記既設定地域識別又は前記受信可能サービスの地域識別に一致する地域識別がある場合、前記制御部の変更スケジュール確認手段に、受信している送信所の送信所識別と一致する周波数変更スケジュールがあるかを確認させる命令と、
を含む一連の処理を地上デジタル放送受信機に実行させ、前記周波数変更スケジュールがあることが確認された場合、放送波の周波数の変更がある旨を前記表示器に表示させることを特徴とする周波数変更スケジュール通知プログラム。
【請求項７】
前記地上デジタル放送受信機が、送信所識別毎に送信周波数とネットワーク識別を整理した一覧データを格納する一覧データ記憶装置を更に備え、
前記制御部の周波数リスト・変更情報取得手段に、前記全地域の周波数リスト・変更情報の内から、前記既設定地域識別、及び前記受信可能サービスの地域識別に一致する特定地域識別の周波数リスト・変更情報を取り出させる命令と、
前記制御部の一覧データ作成手段に、前記特定地域識別の周波数リスト・変更情報を用いて、前記一覧データを作成させ、前記一覧データを前記一覧データ記憶装置に格納させる命令と、
前記制御部の送信所決定手段に、前記一覧データ記憶装置から前記一覧データを読み出させ、受信可能サービスの送信周波数、ネットワーク識別及び送信所識別毎に、前記一覧データの送信周波数とネットワーク識別を比較させ、一致する送信所識別を前記受信している送信所と決定させる命令と
を含む一連の処理を地上デジタル放送受信機に実行させることによって、前記受信している送信所の送信所識別を決定することを特徴とする請求項６に記載の周波数変更スケジュール通知プログラム。
【発明の詳細な説明】
【技術分野】
【０００１】
本発明は、地上デジタル放送受信機、この地上デジタル放送受信機を用いた周波数変更スケジュールの通知方法、この地上デジタル放送受信機を動作させるための周波数変更スケジュール通知プログラムに関する。
【背景技術】
【０００２】
日本のテレビジョン放送は、２０１１年７月に地上デジタル放送への移行が行われた。その後、周波数の有効利用や混信対策のため、放送周波数の再配置（これを「周波数リパッキング」と称する。）が段階的に行われる。地上デジタル放送では、この周波数リパッキングの周波数リスト・変更情報を放送信号に多重して送信することで事前に受信機に通知する規定がある。
【０００３】
これまでに提案されている地上デジタル放送受信機では、受信した周波数リスト・変更情報に基づき、変更内容、変更日時、コメント等を画面上に表示する等によって、ユーザに受信する周波数の設定変更を促す機能が備えられている（特許文献１参照。）。この周波数リスト・変更情報は、日本全域に亘る情報が含まれているため、受信した変更情報が自受信機にとって関係のあるものであるか否かを判断する必要がある。これは、特許文献１にあるように、例えば、受信装置に対して当該受信装置の設置場所の郵便番号を登録し、受信装置が、郵便番号によって特定される地域と、周波数リスト・変更情報に含まれる情報とを比較して、自身にとって関係のあるものであるか否かを判断する方法がある。この郵便番号を登録する方法は、郵便番号の登録の正確さが要求されること、受信装置に郵便番号と住所の対応表を保持することが要求されるため記憶装置（メモリ）の容量が大きくなること、郵便番号に変更があった場合に対応できないこと等の問題がある。このため、特許文献１に記載された発明では、全周波数帯域をチャンネルスキャンし、実際に周波数変更があった場合に限り、ユーザに通知するようにしている。
【先行技術文献】
【特許文献】
【０００４】
【特許文献１】特開２００５−０９４１０２号公報
【発明の概要】
【発明が解決しようとする課題】
【０００５】
しかしながら、特許文献１に記載された発明では、チャンネルスキャンが実行される前に周波数リパック対象の録画予約があった場合には録画が失敗し、周波数リパック時刻にリパック対象とは別の周波数で放送されている番組を視聴していた場合に、リアルタイムに周波数変更を検知できないといった問題がある。
【０００６】
上記問題点を鑑み、本発明は、ユーザが所持している自受信機に関係のある場合にのみ、周波数変更の案内を事前に、リアルタイム又は所望のタイミングで、ユーザに自動的に通知できる地上デジタル放送受信機、この地上デジタル放送受信機を用いた周波数変更スケジュールの通知方法、この地上デジタル放送受信機を動作させるための周波数変更スケジュール通知プログラムを提供することを目的とする。
【課題を解決するための手段】
【０００７】
上記目的を達成するために、本発明の第１の態様は、地上デジタルチューナ（１１）、この地上デジタルチューナ（１１）に接続されたデスクランブル手段（１２）、このデスクランブル手段（１２）に接続された多重化分離手段（１３）、この多重化分離手段（１３）に接続されたＡＶデコーダ（１６）、このＡＶデコーダ（１６）に接続された表示器（１７）、多重化分離手段（１３）からセクションデータを入力する制御部（１４）、地域識別を格納する地域識別記憶装置（１５ａ）を備える地上デジタル放送受信機に関する。本発明の第１の態様に係る地上デジタル放送受信機においては、制御部（１４）が、（イ）セクションデータに含まれる全地域の周波数リスト・変更情報の地域識別の内に、地域識別記憶装置（１５ａ）に格納された既設定地域識別に一致する地域識別があるかを確認する第１の地域識別確認手段（１４５）と、（ロ）既設定地域識別に一致する地域識別がない場合、全地域の周波数リスト・変更情報の地域識別の内に、地域識別記憶装置（１５ａ）に格納された受信可能サービスの地域識別に一致する地域識別があるかを確認する第２の地域識別確認手段（１４６）と、（ハ）既設定地域識別又は受信可能サービスの地域識別に一致する地域識別がある場合、受信している送信所の送信所識別と一致する周波数変更スケジュールがあるかを確認する変更スケジュール確認手段（１４７）とを備えることを要旨とする。そして、本発明の第１の態様に係る地上デジタル放送受信機では、周波数変更スケジュールがあることが確認された場合、放送波の周波数の変更がある旨を表示器（１７）を介して、ユーザに表示させることを特徴とする。
【０００８】
本発明の第２の態様は、地上デジタルチューナ（１１）、この地上デジタルチューナ（１１）に接続されたデスクランブル手段（１２）、このデスクランブル手段（１２）に接続された多重化分離手段（１３）、この多重化分離手段（１３）に接続されたＡＶデコーダ（１６）、このＡＶデコーダ（１６）に接続された表示器（１７）、多重化分離手段（１３）からセクションデータを入力する制御部（１４）、地域識別を格納する地域識別記憶装置（１５ａ）を備える地上デジタル放送受信機を用いた周波数変更スケジュールの通知方法に関する。この本発明の第２の態様に係る周波数変更スケジュールの通知方法においては、（イ）制御部（１４）の第１の地域識別確認手段（１４５）が、セクションデータに含まれる全地域の周波数リスト・変更情報の地域識別の内に、既に設定されている既設定地域識別に一致する地域識別があるかを確認するステップ（Ｓ６，Ｓ７）と、（ロ）既設定地域識別に一致する地域識別がない場合、制御部（１４）の第２の地域識別確認手段が、全地域の周波数リスト・変更情報の地域識別の内に、受信可能サービスの地域識別に一致する地域識別があるかを確認するステップ（Ｓ８，Ｓ９）と、（ハ）既設定地域識別に一致する地域識別がある場合、又は、受信可能サービスの地域識別に一致する地域識別がある場合、制御部（１４）の変更スケジュール確認手段が、受信している送信所の送信所識別と一致する周波数変更スケジュールがあるかを確認するステップ（Ｓ１０，Ｓ１１）とを含み、周波数変更スケジュールがあることが確認された場合、放送波の周波数の変更がある旨を、表示器（１７）を介してユーザに表示させることを要旨とする。
【０００９】
本発明の第３の態様は、地上デジタルチューナ（１１）、この地上デジタルチューナ（１１）に接続されたデスクランブル手段（１２）、このデスクランブル手段（１２）に接続された多重化分離手段（１３）、この多重化分離手段（１３）に接続されたＡＶデコーダ（１６）、このＡＶデコーダ（１６）に接続された表示器（１７）、多重化分離手段（１３）からセクションデータを入力する制御部（１４）、地域識別を格納する地域識別記憶装置（１５ａ）を備える地上デジタル放送受信機を制御するための周波数変更スケジュール通知プログラムに関する。この本発明の第３の態様に係る周波数変更スケジュール通知プログラムにおいては、（イ）制御部（１４）の第１の地域識別確認手段（１４５）に、セクションデータに含まれる全地域の周波数リスト・変更情報の地域識別の内に、既に設定されている既設定地域識別に一致する地域識別があるかを確認させる命令（Ｓ６，Ｓ７）と、（ロ）既設定地域識別に一致する地域識別がない場合、制御部（１４）の第２の地域識別確認手段に、全地域の周波数リスト・変更情報の地域識別の内に、受信可能サービスの地域識別に一致する地域識別があるかを確認させる命令（Ｓ８，Ｓ９）と、（ハ） 既設定地域識別又は受信可能サービスの地域識別に一致する地域識別がある場合、制御部（１４）の変更スケジュール確認手段に、受信している送信所の送信所識別と一致する周波数変更スケジュールがあるかを確認させる命令（Ｓ１０，Ｓ１１）とを含む一連の処理を地上デジタル放送受信機に実行させ、周波数変更スケジュールがあることが確認された場合、放送波の周波数の変更がある旨を表示器（１７）を介してユーザに表示させる。
【発明の効果】
【００１０】
本発明によれば、ユーザが所持している自受信機に関係のある場合にのみ、周波数変更の案内を事前に、リアルタイム又は所望のタイミングで、ユーザに自動的に通知できる地上デジタル放送受信機、この地上デジタル放送受信機を用いた周波数変更スケジュールの通知方法、この地上デジタル放送受信機を動作させるための周波数変更スケジュール通知プログラムを提供することができる。
【図面の簡単な説明】
【００１１】
【図１】本発明の実施の形態に係る地上デジタル放送受信機の主要部分の概略を説明するブロック図である。
【図２】図１に示した本発明の実施の形態に係る地上デジタル放送受信機の制御部のハードウェア資源の構成を説明するブロック図である。
【図３】周波数リスト・変更情報のフォーマットを説明する表である。
【図４】図４（ａ）は、一例として、北海道(札幌)地域の送信所の送信物理チャンネル番号を示す表で、図４（ｂ）は、北海道(函館)地域の送信所の送信物理チャンネル番号を示す表である。
【図５】本発明の実施の形態に係る地上デジタル放送受信機を用いた、送信所識別(transmitter_id)を特定する方法の概略を説明するフローチャートである。
【図６】本発明の実施の形態に係る地上デジタル放送受信機を用いた、変更情報の通知方法の概略を説明するフローチャートである。
【図７】周波数リスト・変更情報の例を示す図である。
【図８】一例として、青森地域の送信所の送信物理チャンネル番号を示す一覧データを説明する表である。
【発明を実施するための形態】
【００１２】
次に、図面を参照して、本発明の実施の形態を説明する。以下の図面の記載において、同一又は類似の部分には同一又は類似の符号を付している。また、以下に示す本発明の実施の形態は、本発明の技術的思想を具体化するための装置や方法を例示するものであって、本発明の技術的思想は、構造、配置等を下記のものに特定するものでない。本発明の技術的思想は、特許請求の範囲に記載された技術的範囲内において、種々の変更を加えることができる。
【００１３】
［地上デジタル放送受信機の構成］
本発明の実施の形態に係る地上デジタル放送受信機は、図１に示すように、地上デジタル放送の放送波であるＲＦ信号をアンテナを介して入力し、ＲＦ信号を希望する周波数（放送チャンネル番号）にチューニングし、著作権保護のために暗号化された（スクランブルがかかっている）トランスポートストリーム（ＴＳ）をパケット化して周期的に出力する地上デジタルチューナ１１と、スクランブルされたトランスポートストリーム（ＴＳ）を復号するデスクランブル手段１２と、デスクランブル手段１２がトランスポートストリーム（ＴＳ）を復号する（デスクランブルする）ために必要なデスクランブル鍵をデスクランブル手段１２に設定する制御部１４と、デスクランブル手段１２が復号したトランスポートストリーム（ＴＳ）の多重化を解除し、映像エレメンタリストリーム（ＥＳ）、音声エレメンタリストリーム（ＥＳ）、セクションデータ等を出力する多重化分離手段１３と、多重化分離手段１３が出力した映像エレメンタリストリーム（ＥＳ）、音声エレメンタリストリーム（ＥＳ）をデコードして、映像・音声信号（ＡＶ）信号を出力するＡＶデコーダ１６と、ＡＶデコーダ１６が出力した映像・音声信号（ＡＶ）信号を用いて、映像の表示と音声の出力をする表示器１７を備える。図１に示すように、多重化分離手段１３が出力したセクションデータは、制御部１４に入力される。
【００１４】
更に、図１に示すように、制御部１４には、設置時（購入時）に各ユーザ毎に、地上デジタル放送受信機に個別に設定した「既設定地域識別」、設置時（購入時）等のタイミングにおいてチャンネルスキャン時に取得した受信可能サービス、この受信可能サービスの地域識別等を格納する地域識別記憶装置１５ａ、図８に示すような送信所識別毎に送信周波数（放送チャンネル番号）とネットワーク識別を整理した一覧データを格納する一覧データ記憶装置１５ｂ、制御部１４に以下に説明する「送信所識別の特定方法」や「変更情報の通知方法」に必要な一連の処理を実行させるためのプログラムを格納したプログラム記憶装置１８等が接続されている。図１においては、地域識別記憶装置１５ａ、一覧データ記憶装置１５ｂ及びプログラム記憶装置１８が、制御部１４の外部に接続された構造が例示されているが、あくまでも論理的な構成を示しているのであって、現実のハードウェア構成としては、地域識別記憶装置１５ａ、一覧データ記憶装置１５ｂ及びプログラム記憶装置１８のすべて又は一部が制御部１４の内部に内蔵されていても構わない。更に、図示を省略しているが、制御部１４には、デスクランブル手段１２がトランスポートストリーム（ＴＳ）を復号する（デスクランブルする）ために必要なデスクランブル鍵を格納するデータ記憶装置等、種々の記憶装置が接続又は内蔵されている。地域識別記憶装置１５ａ、一覧データ記憶装置１５ｂ、プログラム記憶装置１８、或いは図示を省略したデータ記憶装置等は、半導体メモリ、磁気ディスク、光ディスク、光磁気ディスク、磁気テープなどの記憶装置で構成することが可能である。
【００１５】
そして、制御部１４は、プロセッサ等の演算処理や制御を行う回路であり、図２にそのハードウェア資源の詳細を示すように、多重化分離手段１３が出力したセクションデータに含まれる全地域の周波数リスト・変更情報を受信する受信手段１４１と、地上デジタル放送受信機に既に設定されている「既設定地域識別」、及び受信可能サービスの地域識別と一致する特定地域識別の周波数リスト・変更情報を取り出す周波数リスト・変更情報取得手段１４２と、送信所識別毎に送信周波数（放送チャンネル番号）とネットワーク識別を整理した一覧データを作成し、一覧データを一覧データ記憶装置１５ｂに格納する一覧データ作成手段１４３と、一覧データ記憶装置１５ｂから一覧データを読み出し、受信可能サービスの送信周波数（放送チャンネル番号）、ネットワーク識別及び送信所識別毎に、作成した一覧データの送信周波数（放送チャンネル番号）とネットワーク識別を比較し、一致する送信所識別を受信している送信所と決定する送信所決定手段１４４と、受信した全地域の周波数リスト・変更情報の地域識別の内に、既設定地域識別」と一致する地域識別があるか否かを比較・判定し確認する第１の地域識別確認手段１４５と、受信した全地域の周波数リスト・変更情報の地域識別の内に、受信可能サービスの地域識別に一致する地域識別があるか否かを比較・判定し確認する第２の地域識別確認手段１４６と、受信している送信所の送信所識別と一致する周波数変更スケジュールがあるかを確認する変更スケジュール確認手段１４７と、周波数変更スケジュールがあることが確認された場合、放送波の周波数（放送チャンネル番号）の変更がある旨をユーザに表示させる命令の信号を発する通知手段１４８とを、論理構成として備える。
【００１６】
[デジタル放送の視聴方法]
図１及び図２に示した本発明の実施の形態に係る地上デジタル放送受信機を用いて、地上デジタル放送を受信するには、先ず地上デジタルチューナ１１を希望する周波数（放送チャンネル番号）にチューニングする。デジタルチューナ１１によるチューニングが完了すると、デジタルチューナ１１からスクランブルがかかっているトランスポートストリーム（ＴＳ）が出力される。スクランブルされたＴＳをデスクランブルするために制御部１４はデスクランブル鍵をデスクランブル手段１２に設定し、デスクランブル手段１２がスクランブルを解除する。デスクランブル手段１２によってデスクランブルされたトランスポートストリーム（ＴＳ）は多重化分離手段１３により、映像エレメンタリストリーム（ＥＳ）、音声エレメンタリストリーム（ＥＳ）、セクションデータ等に分離され、映像エレメンタリストリーム（ＥＳ）、音声エレメンタリストリーム（ＥＳ）はＡＶデコーダ１６でデコードされ、表示器１７に出力される。
【００１７】
周波数リスト・変更情報は、多重化分離手段１３がトランスポートストリーム（ＴＳ）の多重化を解除して出力したセクションデータに含まれている。セクションデータは、ソフトウェア・ダウンロード・トリガ・テーブル(ＳＤＴＴ：Software Download Trigger Table)、ダウンロード・インフォ・インディケーション(ＤＩＩ：Download Info Indication)、ダウンロード・データ・ブロック(ＤＤＢ：Download Data Block)によって送信され、そのフォーマットは、社団法人電波産業会(ＡＲＩＢ)の標準規格ＴＲ−Ｂ１４によって図３のように規定されている。
【００１８】
図３に示すように、周波数リスト・変更情報のデータ構造は、地域識別(area_code)＞ネットワーク識別(network_id)＞変更スケジュール＞送信所識別(transmitter_id)の順で括られる。また、もう一つの括りとして地域識別＞ネットワーク識別＞無変更送信所(unchange_transmitter)が存在する。２つの括りの中に存在するパラメータである送信所識別は、送信所（中継所）毎に全国でユニークな値である。送信所識別がユニークなことから、周波数リスト・変更情報から同一の送信所識別に対応する物理チャンネル番号、即ち、図３の変更前物理チャンネル番号(old_physical_ch)、物理チャンネル番号(physical_ch)をすべて集めることにより、特定の送信所から送信されている周波数（放送チャンネル番号）が判別できる。
【００１９】
一方、設置時（購入時）などのタイミングでユーザによって、本発明の実施の形態に係る地上デジタル放送受信機の設置地域の地域識別（既設定地域識別）の設定及び地上デジタル放送のチャンネルスキャンが行われる。ここで設定できる地域は具体的には、北海道（札幌）、北海道（函館）、北海道（旭川）、北海道（帯広）、北海道（釧路）、北海道（北見）、北海道（室蘭）、及び４６都府県の全５３地域となっている。また、チャンネルスキャン時に取得するネットワーク情報表(ＮＩＴ：Network Information Table)からネットワーク識別、更にＮＩＴに配置される地上分配システム記述子から、放送チャンネル番号(周波数)毎に地域識別が取得できる。この放送チャンネル番号(周波数)毎にから取得できる地域識別は、前述した５３地域に、関東広域、近畿広域、中京広域、北海道域、岡山香川、島根鳥取を加えた５９地域である。
【００２０】
図４（ａ）は、北海道（札幌）地域の送信所の送信物理チャンネル番号を示したものであり、図４（ｂ）は、北海道（函館）地域の送信所の送信物理チャンネル番号を示したものである。図４（ａ），（ｂ）に例示するように、現状の地上デジタル放送では、サービスエリア（地域）が重なる複数の送信所に、それぞれ異なる周波数（放送チャンネル番号）を割り当てた多周波数ネットワーク(ＭＦＮ：Multi Frequency Network)による送信が行われている。
【００２１】
多周波数ネットワークにおいては、チャンネルスキャンにより受信可能な周波数（放送チャンネル番号）、設置時（購入時）に設定した地域識別（既設定地域識別）の設定、及びチャンネルスキャン時に取得した受信可能サービスの地域識別の設定により、自受信機が受信している送信所識別を特定することが可能になる。よって、本発明の実施の形態に係る地上デジタル放送受信機は、周波数リスト・変更情報を受信した後、自受信機が受信している送信所識別が変更対象か否かを確認することで、本発明の実施の形態に係る地上デジタル放送受信機に関係のある場合にのみ、ユーザに自動的に、放送チャンネル番号(周波数)の変更を事前に、且つリアルタイム又は所望のタイミングで通知することが可能になる。ここで、「所望のタイミングで通知」とは、例えば、録画予約時のタイミング等ユーザに好都合な任意のタイミングで、放送チャンネル番号(周波数)の変更を通知するような態様も可能であるという意味である。
【００２２】
［送信所識別の特定方法］
本発明の実施の形態に係る地上デジタル放送受信機による送信所識別の特定方法を図５のフローチャートを用いて説明する。なお、以下に述べる送信所識別の特定方法は、一例であり、特許請求の範囲に記載した趣旨の範囲内であれば、この変形例を含めて、これ以外の種々の送信所識別の特定方法により、実現可能であることは勿論である。
【００２３】
(a)  先ず、図５のフローチャートに示すように、本発明の実施の形態に係る地上デジタル放送受信機の制御部１４のハードウェア資源を構成する受信手段１４１が、ステップＳ１において、多重化分離手段１３が出力したセクションデータを受信し、セクションデータに含まれる全地域の周波数リスト・変更情報を入力する。受信手段１４１が受信したセクションデータに含まれる周波数リスト・変更情報には、全地域のリストがセクション形式で記載されている。
【００２４】
(b)  次に、制御部１４のハードウェア資源を構成する周波数リスト・変更情報取得手段１４２が、地域識別記憶装置１５ａから、設置時（購入時）などのタイミングで自受信機に既に設定された既設定地域識別、自受信機が受信可能なサービス（受信可能サービス）、及び受信可能サービスの地域識別を読み出す。そして、ステップＳ２において、周波数リスト・変更情報取得手段１４２が、受信手段１４１が受信した全地域の周波数リスト・変更情報の内から、読み出された既設定地域識別、及び受信可能サービスの地域識別に一致する特定地域識別の周波数リスト・変更情報のみを検索して取得する。
【００２５】
(c)  制御部１４のハードウェア資源を構成する一覧データ作成手段１４３が、ステップＳ３において、取得された特定地域識別の周波数リスト・変更情報から、図８に示したような送信所識別毎に、送信周波数（放送チャンネル番号）とネットワーク識別とを分類・整理した一覧データを作成し、作成した一覧データを、一覧データ記憶装置１５ｂに格納する。
【００２６】
(d)  制御部１４のハードウェア資源を構成する送信所決定手段１４４が、ステップＳ４において、一覧データ記憶装置１５ｂから一覧データを読み出し、受信可能サービスの送信周波数（放送チャンネル番号）、ネットワーク識別及び送信所識別毎に、作成した一覧データの送信周波数（放送チャンネル番号）とネットワーク識別を比較し、一致する送信所識別を、自受信機が受信している送信所と決定する。
【００２７】
例えば、地上デジタル放送受信機を青森県に設置し、一例として、地域を青森県に設定し、チャンネルスキャンを行う。その結果、例えば、以下のようなサービスを受信可能であったとし、これらのデータを、受信可能サービスとして地域識別記憶装置１５ａに格納する。
【００２８】
１：青森放送（ネットワーク識別：０ｘ７Ｅ９２、物理チャンネル番号：２８ｃｈ）
２：ＮＨＫ教育（ネットワーク識別：０ｘ７Ｅ９１、物理チャンネル番号：１３ｃｈ）
３：ＮＨＫ総合（ネットワーク識別：０ｘ７Ｅ９０、物理チャンネル番号：１６ｃｈ）
４：青森朝日放送（ネットワーク識別：０ｘ７Ｅ９４、物理チャンネル番号：３２ｃｈ）
５：青森テレビ（ネットワーク識別：０ｘ７Ｅ９３、物理チャンネル番号：３０ｃｈ）
その後、ステップＳ１において、制御部１４の受信手段１４１が、図７のような情報が記載された周波数リスト・変更情報を、多重化分離手段１３が出力したセクションデータとして受信したとする。なお、図７で記載される各パラメータは、周波数リスト・変更情報の中で必要な情報を抜粋したものである。受信手段１４１が多重化分離手段１３が出力したセクションデータを受信後、ステップＳ２及びステップＳ３を経て、ステップＳ４で、図８の一覧データと比較しながら、制御部１４のハードウェア資源を構成する送信所決定手段１４４が、受信可能サービスのネットワーク識別、物理チャンネル番号と一致する送信所識別を探す。
【００２９】
先ず、図８の一覧データと図７の周波数リスト・変更情報との比較から、青森放送のネットワーク識別：０ｘ７Ｅ９２、物理チャンネル番号：２８ｃｈに一致する送信所識別を探し、それは０ｘ０９４７０７であることがわかる。同様に、図８と図７の比較から、ＮＨＫ教育、ＮＨＫ総合、青森朝日放送、青森テレビのネットワーク識別、物理チャンネル番号に一致する送信所識別を探すと、０ｘ０９４７０７であることがわかる。以上により、ステップＳ４で、送信所決定手段１４４は送信元の送信所識別は０ｘ０９４７０７であると決定する。なお、図８の一覧データに青森の送信所（一部）を記載しているが、図８によると、地上デジタル放送受信機は青森送信所の電波を受信していることがわかる。
【００３０】
図５に示した一連の送信所識別の特定方法の処理は、図５と等価なアルゴリズムのプログラムにより、図２に示した制御部１４のハードウェア資源のそれぞれを制御して実行できる。このプログラムは、本発明の地上デジタル放送受信機を構成するプログラム記憶装置１８に記憶させればよい。また、このプログラムは、コンピュータ読取り可能な記録媒体に保存し、この記録媒体を本発明の地上デジタル放送受信機のプログラム記憶装置１８に読み込ませることにより、本発明の一連の送信所識別の特定方法の処理を実行することができる。更に、インターネット等の情報処理ネットワークを介して、このプログラムをプログラム記憶装置１８に格納することも可能である。
【００３１】
［変更情報の通知方法］
本発明の実施の形態に係る地上デジタル放送受信機による、周波数（放送チャンネル番号）の変更情報をユーザに自動的に事前に、且つリアルタイム又は所望のタイミングで通知する方法を図６のフローチャートを用いて説明する。なお、以下に述べる周波数（放送チャンネル番号）の変更情報の通知方法は、一例であり、特許請求の範囲に記載した趣旨の範囲内であれば、この変形例を含めて、これ以外の種々の変更情報の通知方法により、実現可能であることは勿論である。
【００３２】
(a)  先ず、図６のフローチャートに示すように、本発明の実施の形態に係る地上デジタル放送受信機の制御部１４のハードウェア資源を構成する受信手段１４１が、ステップＳ５において、多重化分離手段１３が出力したセクションデータを受信し、セクションデータに含まれる全地域の周波数リスト・変更情報を入力する。
【００３３】
(b)  次に、制御部１４のハードウェア資源を構成する第１の地域識別確認手段１４５が、ステップＳ６において、地域識別記憶装置１５ａから地上デジタル放送受信機に既に設定されている「既設定地域識別」を読み出す。そして、第１の地域識別確認手段１４５が、受信手段１４１から送られてきたセクションデータに含まれる全地域の周波数リスト・変更情報の地域識別の内に、既設定地域識別と一致する地域識別があるか否かを比較する。比較の結果、第１の地域識別確認手段１４５が、ステップＳ７において、受信した全地域の周波数リスト・変更情報の地域識別の内に既設定地域識別に一致する地域識別がないと判定した場合は、ステップＳ８に進む。第１の地域識別確認手段１４５が、ステップＳ７において、受信した全地域の周波数リスト・変更情報の地域識別の内に既設定地域識別に一致する地域識別があると判定した場合は、ステップＳ１０に進む。
【００３４】
(c)  ステップＳ８においては、制御部１４のハードウェア資源を構成する第２の地域識別確認手段１４６が、地域識別記憶装置１５ａから、チャンネルスキャン時に取得した受信可能サービスの地域識別を読み出す。そして、第２の地域識別確認手段１４６が、受信した全地域の周波数リスト・変更情報の地域識別の内に、受信可能サービスの地域識別に一致する地域識別があるか否かを比較する。比較の結果、第２の地域識別確認手段１４６が、ステップＳ９において、受信した全地域の周波数リスト・変更情報の地域識別の内に、受信可能サービスの地域識別に一致する地域識別があると判定した場合は、ステップＳ１０に進む。第２の地域識別確認手段１４６が、ステップＳ９において、受信した全地域の周波数リスト・変更情報の地域識別と、受信可能サービスの地域識別が一致していないと判定した場合は、周波数変更対象外と判断して、図６のフローチャートの処理を終了する。
【００３５】
(d)  ステップＳ１０においては、制御部１４のハードウェア資源を構成する変更スケジュール確認手段１４７が、自受信機が受信している送信所の送信所識別と一致する周波数変更スケジュールがあるか否かを比較する。比較の結果、変更スケジュール確認手段１４７が、ステップＳ１１において、自受信機が受信している送信所の送信所識別と一致する周波数変更スケジュールがあると判定した場合は、ステップＳ１２に進む。例えば、図７に示した周波数リスト・変更情報において、送信所識別＝０ｘ０９４７０７の周波数変更があるか否かを調べると、青森放送（ネットワーク識別：０ｘ７Ｅ９２）では、２８ｃｈから１４ｃｈに周波数（放送チャンネル番号）の変更スケジュールがあることがわかる。一方、変更スケジュール確認手段１４７が、ステップＳ１１において、自受信機が受信している送信所の送信所識別と一致する周波数変更スケジュールがないと判定した場合は、周波数変更対象外と判断して、図６のフローチャートの処理を終了する。
【００３６】
(e)  ステップＳ１２においては、制御部１４のハードウェア資源を構成する通知手段１４８が、本発明の実施の形態に係る地上デジタル放送受信機の表示器１７に対し、放送波の周波数（放送チャンネル番号）の変更がある旨の表示をさせる命令を発し、表示器１７が、周波数変更スケジュールがあることが確認された場合、放送波の周波数（放送チャンネル番号）の変更がある旨をユーザに自動的に表示する。表示器１７による表示は、画像情報による表示でも、音声情報による表示でも構わない。
【００３７】
図６に示した一連の変更情報の通知方法の処理は、図６と等価なアルゴリズムのプログラムにより、図２に示した制御部１４のハードウェア資源のそれぞれを制御して実行できる。このプログラムは、本発明の地上デジタル放送受信機を構成するプログラム記憶装置１８に記憶させればよい。また、このプログラムは、コンピュータ読取り可能な記録媒体に保存し、この記録媒体を本発明の地上デジタル放送受信機のプログラム記憶装置１８に読み込ませることにより、本発明の一連の変更情報の通知方法の処理を実行することができる。更に、インターネット等の情報処理ネットワークを介して、このプログラムをプログラム記憶装置１８に格納することも可能である。
【００３８】
（その他の実施の形態）
上記のように、本発明は本発明の実施の形態によって記載したが、この開示の一部をなす論述及び図面は本発明を限定するものであると理解すべきではない。この開示から当業者には様々な代替実施の形態、実施例及び運用技術が明らかとなろう。よって、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００３９】
１１…地上デジタルチューナ
１２…デスクランブル手段
１３…多重化分離手段
１４…制御部
１５ａ…地域識別記憶装置
１５ｂ…一覧データ記憶装置
１６…ＡＶデコーダ
１７…表示器
１８…プログラム記憶装置
１４１…受信手段
１４２…周波数リスト・変更情報取得手段
１４３…一覧データ作成手段
１４４…送信所決定手段
１４５…第１の地域識別確認手段
１４６…第２の地域識別確認手段
１４７…変更スケジュール確認手段
１４８…通知手段
【図１】
2013201499.tif 000003
【図２】
2013201499.tif 000004
【図３】
2013201499.tif 000005
【図４】
2013201499.tif 000006
【図５】
2013201499.tif 000007
【図６】
2013201499.tif 000008
【図７】
2013201499.tif 000009
【図８】
2013201499.tif 000010